(57)【要約】  本発明は点字認識用スティックをヘッド部の電子ピンによって選択的に押して突出させることにより、視覚情報を視覚障害者が触覚で感じることができる点字として手軽かつ、容易に表現できることは勿論、前記点字ディスプレイ装置を簡単に構成し、製作及び設置が非常に簡単にできるようにする点字ディスプレイ装置に関するものである。  その技術的な構成は、上面に一定の配列によって形成される収納溝（１２０）の上側表面には一定厚さの弾性体コーティング層（１４０）が形成され、前記収納溝（１２０）内に垂直移動できるように設けられて点字を構成する点字認識用スティック（１３０）の低部には金属片（１３１）が着設され、前記点字認識用スティック（１３０）が垂直移動できるように収納溝（１２０）が形成されるベース部（１１０）の下側にはガイド軸（１５０）が横設され、前記ガイド軸（１５０）上には電気的信号によって選択的に突出するように多数の電子ピン（１６０）が支持部（１７０）内に設けられるヘッド部（１８０）が左右移送ができるように設けられ、前記電子ピン（１６０）が内に設けられる支持部（１７０）の一側には磁性体（１９０）が一体に設けられ、前記収納溝（１２０）の上側に突出された点字認識用スティック（１３０）を下側方向に移動させることを要旨とする。
2007508581.tif 000002
【特許請求の範囲】
【請求項１】
ベース部（１１０）の上面に一定の配列で多数の収納溝（１２０）が形成され、前記それぞれの収納溝（１２０）内には、点字を構成する点字認識用スティック（１３０）が垂直移動できるように設けられ、前記点字認識用スティック（１３０）は、前記ベース部（１１０）の収納溝（１２０）内に垂直移動され、選択的に突出するようにする点字ディスプレイ装置において、上面に一定の配列で多数の収納溝（１２０）が形成され、前記収納溝（１２０）の上側表面には、一定厚さの弾性体コーティング層（１４０）が形成されるベース部（１１０）; 低部に金属片（１３１）が着設され、前記ベース部（１１０）の収納溝（１２０）内に垂直移動できるように設けられる点字認識用スティック（１３０）; 前記点字認識用スティック（１３０）が垂直移動できるように収納溝（１２０）が形成されるベース部（１１０）の下側にガイド軸（１５０）が横設され、前記ガイド軸（１５０）上には電気的信号によって選択的に突出される多数の電子ピン（１６０）が支持部（１７０）内に設けられ、前記支持部（１７０）の一側には磁性体（１９０）が着設され、一体に左右移送ができるように設けられるヘッド部（１８０）;を含んで構成されることを特徴とする点字ディスプレイ装置。
【請求項２】
請求項１において、前記ヘッド部（１８０）に設けられ、前もって設定された電気的信号によって、点字を構成するように電子ピン（１６０）が内設される支持部（１７０）は、非磁性体で構成されることを特徴とする点字ディスプレイ装置。
【請求項３】
請求項１において、前記ベース部（１１０）の収納溝（１２０）の内周面には凹溝部（２００）が形成され、前記点字認識用スティック（１３０）が磁性体（１９０）によって下方に完全に抜けないようにリング（１３２）がかかって固定されることを特徴とする点字ディスプレイ装置。
【請求項４】
請求項３において、前記凹溝部（２００）は上側が広く開口され、下側が狭く形成され、ゴム材リング（１３２）の出入りが円滑に行えることを特徴とする点字ディスプレイ装置。
【請求項５】
請求項１において、前記点字認識用スティック（１３０）を用いた６点の点字は、それぞれの収納溝（１２０）及び、その内部の点字認識用スティック（１３０）によって、ベース部（１１０）の上面に点字を形成するように、６個の点で構成される点字１コラムの３個の点番号毎に固有の周波数を付与し、前記各点番号に対応する周波数信号をデータフレーム形態でテープに連続的に記録し、一つのコラムデータが終るごとに一つのフレームパルスをカセットテープのトラックに記録し、前記カセットテープの再生時、ヘッド部（１８０）に設けられた該当電子ピン（１６０）を駆動させることを特徴とする点字ディスプレイ装置。
【発明の詳細な説明】
【技術分野】
【０００１】
本発明は視覚障害者のための点字ディスプレイ装置に関するものであり、特に点字認識用スティックが垂直移動できるように収納溝内にそれぞれ設けられ、前記収納溝の下側に横設されるガイド軸上には前方に多数の電子ピンが設けられたヘッド部が設けられ、前記点字認識用スティックを選択的に押して突出させることにより、視覚情報を視覚障害者が触覚で感じられる点字として手軽かつ、容易に表現できることは勿論、前記点字ディスプレイ装置を簡単に構成し、製作及び設置が非常に簡単にできるようにする点字ディスプレイ装置に関するものである。
【背景技術】
【０００２】
一般的に知られている従来の点字ディスプレイ装置においては、大韓民国公開特許公報第２０００−００３８１２５号に知られている。
【０００３】
すなわち、その技術的な構成は、図１及び図２に示したように、点字ディスプレイ装置は、ベースボディ（１０）の上面に一定の配列で多数の収納溝（１２）が形成され、前記それぞれの収納溝（１２）には、点字を構成する点字スティック（２０）が垂直移動できるように設けられ、前記それぞれの収納溝（１２）上端には、磁力を用いて前記点字スティック（２０）の上端部分を収納溝（１２）の外部に突出させるためのコイルが巻かれた電磁石（３０）が設けられる一方、前記電磁石（３０）のコイル（３４）は、電源供給制御部（５０）によって電流が供給され、前記ベースボディ（１０）の上面には、前記点字スティックの上端部分が突出できるようにカバー（４０）が設けられる構成としている。
【０００４】
したがって、前記ベースボディ（１０）の収納溝（１２）には、点字スティック（２０）が上下移動可能に設けられ、前記収納溝（１２）の上端部にはコイル（３４）が巻かれた電磁石（３０）が設けられ、電源供給制御部（５０）と連結された後、前記ベースボディ（１０）上面には、カバー（４０）が覆われて固定されることにより、前記電磁石（３０）の磁力を用いて前記点字スティック（２０）を上に引き寄せたり、下に引き下げるようにし、多様な情報を点字で表現できるので、コンピューターを用いて情報を視覚障害者に提供することができる。
【０００５】
しかし、収納溝（１２）の上端にそれぞれコイル（３４）が巻かれた電磁石（３０）を設けるすることによって、点字ディスプレイ装置の構造が複雑になるので、製作及び設置が困難であり、特に電源供給制御部（５０）の電気的な信号によって電磁石（３０）の作動時、近接して設けられる電磁石（３０）間のノイズ発生による点字スティック（２０）の誤動作を誘発するなど多くの問題があった。
【発明の開示】
【発明が解決しようとする課題】
【０００６】
本発明は前記のような従来の問題を改善するために案出したものであり、その目的は、点字の認識用スティックが垂直移動できるように収納溝内にそれぞれ設けられ、前記収納溝の下側に横設されるガイド軸上には前方に多数の電子ピンが設けられたヘッド部が設けられ、前記点字認識用スティックを選択的に押して突出させることにより、視覚情報を視覚障害者が触覚で感じることができる点字であり、手軽かつ容易に表現できることは勿論、特に前記点字ディスプレイ装置を簡単に構成して製作及び設置が非常に簡単にできるようにし、前記点字認識用スティックの誤動作を事前に防止できる点字ディスプレイ装置を提供することにある。
【課題を解決するための手段】
【０００７】
前記のような目的を達成するための技術的な手段として本発明は、ベース部の上面に一定の配列で多数の収納溝が形成され、前記それぞれの収納溝内には点字を構成する点字認識用スティックが垂直移動できるように設けられ、前記点字認識用スティックは、前記ベース部の収納溝の内部で垂直移動されて突出するようにする点字ディスプレイ装置において、上面に一定の配列で多数の収納溝が形成され、前記収納溝上側の表面には、一定厚さの弾性体コーティング層が形成されるベース部;低部に金属片が着設され、前記ベース部の収納溝内に垂直移動できるように設けられる点字認識用スティック;前記点字認識用スティックが垂直移動できるように収納溝が形成されるベース部の下側にガイド軸が横設され、前記ガイド軸上には電気的信号によって選択的に突出される多数の電子ピンが支持部内に設けられ、前記支持部の一側には磁性体が着設され、一体に左右移送ができるように設けられるヘッド部;を含んで構成されることを特徴とする点字ディスプレイ装置を提供する。
【発明を実施するための最良の形態】
【０００８】
以下、添付図面に基づいて本発明の好ましい実施例を詳細に説明すれば次のようである。
【０００９】
図３は本発明による点字ディスプレイ装置を説明するための概略構成図であり、図４は本発明である点字ディスプレイ装置の概略分解断面図であって、ディスプレイ装置（１００）のベース部（１１０）上面に一定の配列で多数の収納溝（１２０）が形成され、前記それぞれの収納溝（１２０）内には点字を構成する点字認識用スティック（１３０）が垂直移動できるように設けられる。
【００１０】
一方、上面に一定の配列によって形成される収納溝（１２０）上側の表面には接着材（Ｋ）を介在して、一定厚さの弾性体コーティング層（１４０）が形成され、前記収納溝（１２０）内に垂直移動できるように設けられ、点字を構成する点字認識用スティック（１３０）の低部には金属片（１３１）が着設される。
【００１１】
この時、前記点字認識用スティック（１３０）は、その軸上にリング（１３２）が着設され、ベース部（１１０）の収納溝（１２０）内に前記点字認識用スティック（１３０）が密着して固定されるように設けられる。
【００１２】
また、前記点字認識用スティック（１３０）が垂直移動できるように収納溝（１２０）が形成されるベース部（１１０）の下側にガイド軸（１５０）が横設され、前記ガイド軸（１５０）上には、電気的信号によって選択的に突出するように多数の電子ピン（１６０）が支持部（１７０）内に設けられるヘッド部（１８０）が左右移送できるように設けられ、前記電子ピン（１６０）が内に設けられる支持部（１７０）一側には磁性体（１９０）が一体に設けられ、前記収納溝（１２０）の上側に突出された点字認識用スティック（１３０）を下側の方向に移動させる構成としている。
【００１３】
図面中、説明していない符号である２００は、前記ベース部（１１０）の収納溝（１２０）の内周面に形成され、点字認識用スティック（１３０）が磁性体（１９０）によって下方に完全に抜けないようにリング（１３２）がかかって固定される凹溝部である。
【００１４】
このような構成になっている本発明の作用及び効果を説明すれば次のようである。
【００１５】
図３ないし図５に示したのように、ディスプレイ装置（１００）のベース部（１１０）上面に一定の配列で多数の収納溝（１２０）を形成させた状態で、前記それぞれの収納溝（１２０）内に設けられ、垂直移動が可能に設けられる点字認識用スティック（１３０）を前記ベース部（１１０）上面に突出させ、点字をディスプレイする場合には、バー（Bar）形状に構成されて前記ベース部（１１０）の多数の収納溝（１２０）内にそれぞれ設けられる点字認識用スティック（１３０）は、前記収納溝（１２０）の下側に横設されるガイド軸（１５０）に沿って、ヘッド部（１８０）が左右移送しながら前記点字認識用スティック（１３０）を選択的に押して上げることにより、前記ベース部（１１０）の上面に突出される点字認識用スティック（１３０）によって点字を構成するようになる。
【００１６】
前記ベース部（１１０）の下側に横設されたガイド軸（１５０）に沿って左右移送されるヘッド部（１８０）は、事前に設定された電気的信号によって点字を構成するように選択的に電子ピン（１６０）が突出するように支持部（１７０）内に設けられることにより、前記電子ピン（１６０）が収納溝（１２０）内に設けられる点字認識用スティック（１３０）を押すようになる。
【００１７】
この時、前記点字認識用スティック（１３０）は、その軸上にゴム材で構成されるリング（１３２）が着設されることにより、ベース部（１１０）の収納溝（１２０）内に前記点字認識用スティック（１３０）が垂直に移送されながら、前記収納溝（１２０）内に重力によって下方に落下することなく、前記収納溝（１２０）内に密着して固定することができる。
【００１８】
また、前記点字認識用スティック（１３０）が垂直移動できるようにする電子ピン（１６０）は、ヘッド部（１８０）の支持部（１７０）内に多数個が設けられ、電気的な信号によって選択的に突出することができ、前記支持部（１７０）の一側には磁性体（１９０）が一体に設けられることにより、前記収納溝（１２０）の上側に突出された点字認識用スティック（１３０）は、再び前記磁性体（１９０）によって下側方向に移動させることができる。
【００１９】
即ち、前記収納溝（１２０）内に垂直移動できるように設けられて点字を構成する点字認識用スティック（１３０）は、その低部には金属片（１３１）が一体に着設されることにより、前記ヘッド部（１８０）の電子ピン（１６０）によって点字を構成する間、非磁性体で構成された支持部（１７０）一側の磁性体（１９０）は、事前に点字形成のために突出された点字認識用スティック（１３０）を下方に引き寄せる。
【００２０】
この時、前記ベース部（１１０）の収納溝（１２０）内周面には凹溝部（２００）が形成されることにより、前記点字認識用スティック（１３０）が磁性体（１９０）によって下方に移動する場合、前記点字認識用スティック（１３０）に着設されたゴム材リング（１３２）が下降し、前記凹溝部（２２０）にかかって固定され、これによって前記点字認識用スティック（１３０）は、それ以上下降しないようにし、前記凹溝部（２００）は上側が広く開口され、下側が狭く形成されてゴム材リング（１３２）の出入りが円滑に行うことができる。
【００２１】
また、前記点字認識用スティック（１３０）の固定及び垂直移動は、収納溝（１２０）の下側に段状突起（不図示）を形成するか、又は他の構造によっても多様に形成されることができる。
【００２２】
一方、上面に一定の配列によって形成される収納溝（１２０）の上側表面には接着剤（Ｋ）を介在し、一定厚さの弾性体コーティング層（１４０）が形成されることにより、点字認識用スティック（１３０）のあまりの突出が抑制されるので、前記収納溝（１２０）内にごみや湿気等のような異物が流れ込まないようにすることができる。
【００２３】
一方、前記のような点字認識用スティック（１３０）を用いたカセットテープ又は、ＣＤプレーヤー等のような器機に点字文字情報を記録する場合は、まず、それぞれの収納溝（１２０）及び、その内部の点字認識用スティック（１３０）によってベース部（１１０）の上面に点字を形成するように、６個の点で構成される点字１コラムの３個の点番号毎に固有の周波数を付与した後、前記各点番号に対応する周波数信号をデータフレーム形態でテープ又はＣＤに連続的に記録する。この時一つのコラムデータが終るごとに一つのフレームパルスをテープの同じトラック又は隣接トラックに記録する。
【００２４】
したがって、前記のテープ又はＣＤに記録された点字データは、プレーヤーの再生動作によって、毎フレームパルスごとに１コラム又は２コラムずつのデータを読み取り、各フレーム内のパルス信号に対する固有周波数を判断し、各点番号対する固有周波数の有無に対する情報を次のフレームパルス信号入力でラッチさせた後、ラッチされたデータでヘッド部（１８０）の電子ピン（１６０）の該当電子ピン（１６０）を駆動させることにより、 前記点字を形成する電子ピン（１６０）の駆動により、収納溝（１２０）に設けられた該当点字認識用スティック（１３０）を突出させ、６点形の点字が手軽かつ、容易に出力されるものである。
【産業上の利用可能性】
【００２５】
以上のように本発明である点字ディスプレイ装置は、点字認識用スティックが垂直移動できるように収納溝内にそれぞれ設けられ、前記収納溝の下側に横設されるガイド軸上には前方に多数の電子ピンが設けられたヘッド部が設けられ、前記点字認識用スティックを選択的に押して突出することにより、視覚情報を視覚障害者が触覚で感じることができる点字として手軽かつ、容易に表現できることは勿論、特に前記点字ディスプレイ装置を簡単に構成し、製作及び設置が非常に簡単にできるとともに、前記点字認識用スティックの誤動作を未然に防止することができる優れる効果がある。
【００２６】
本発明は特定の実施例に関して図示して説明したが、以下の特許請求の範囲によって示される本発明の思想や分野を脱しない範囲内で、本発明が多様に改造及び変化できるということを当業界で通常の知識を持つ者は容易に理解できるということを明らかにする。
【図面の簡単な説明】
【００２７】
【図１】従来の点字ディスプレイ装置の概略斜視図。
【図２】図１の点字ディスプレイ装置の概略分解断面図。
【図３】本発明による点字ディスプレイ装置を説明するための概略構成図。
【図４】本発明の点字ディスプレイ装置の概略分解断面図。
【図５】本発明の電子ディスプレイ装置に設けられる点字認識用スティックの作動状態を示した要部構造図。
【図１】
2007508581.tif 000003
【図２】
2007508581.tif 000004
【図３】
2007508581.tif 000005
【図４】
2007508581.tif 000006
【図５】
2007508581.tif 000007
【国際調査報告】
2007508581.tif 000008